(57)【要約】【課題】本体装置に対して揺動開閉する外装カバーの開動作とともに倒れ、外装カバーが開いた状態で引き出されて、用紙を積載する用紙積載延長トレイおいて、外装カバーを開けた後に、用紙積載延長トレイを持ち直す煩雑な作業をなくし操作性を向上させる。【解決手段】用紙積載延長トレイ１０が本体装置に収納された状態で用紙積載延長トレイ１０の端部に人が掴むことができるように本体外部に露出する把手１２を設け、把手１２の手を掛ける部位を外装カバー２が閉じた状態で下向きとし、一動作で外装カバー２と用紙積載延長トレイ１０を所定位置にセットすることが出来るようにした。【選択図】          図６
2006188363.tif 000002
【特許請求の範囲】
【請求項１】
本体装置に対して揺動開閉する外装カバーの開動作と共に倒れ、前記外装カバーが開いた状態で引出されて用紙を積載する用紙積載延長トレイにおいて、
前記用紙積載延長トレイの一端部に設けられ、前記外装カバーを閉じた状態で前記本体装置の外部に露出する把手を有し、前記把手の手をかける部位は前記外装カバーを閉じた状態で下方に向いていることを特徴とする用紙積載延長トレイ。
【発明の詳細な説明】
【技術分野】
【０００１】
本発明は、プリンタや複写機等のように裁断された用紙を積載する用紙積載延長トレイに関し、特に、本体装置から引出し可能な構造を有する用紙積載延長トレイに係るものである。
【背景技術】
【０００２】
本体装置内に用紙を積載する用紙積載延長トレイが収納されており、外装カバーを開けた後、引出すことができる構造になっている用紙積載延長トレイにおいては、外装カバーを開けて用紙積載トレイ（以下用紙トレイと略称する）を露出させ、さらに必要に応じて用紙積載延長トレイを延長方向に延長することができるように形成しておき、これを引き出して、使用するものがある（例えば、特許文献１参照。）。
【０００３】
その技術では、用紙積載延長トレイは取付け部が長孔溝内を摺動して引き出しできるようになっており、取手を兼ねるロック用係合部材を備え、このロック用係合部材が係合凹部に弾性的に係合するようになっている。この技術では、取手を押し下げてロックを開放して外装カバーを開き、次いで用紙積載延長トレイを引き出す２段動作を必要とする。
【０００４】
また、用紙積載延長トレイが給紙装置の面内で平面的に転回可能に結合され、転回して引き出す構造のものもある（例えば、特許文献２参照。）。
【０００５】
この技術では、用紙積載延長トレイは、給紙装置の開閉と用紙積載延長トレイの引き出しとは別の操作となる。
【特許文献１】特開平５−３０９８９５号公報（第２−３頁、図３）
【特許文献２】特開平８−２４４９８６号公報（第２−４頁、図１）
【発明の開示】
【発明が解決しようとする課題】
【０００６】
上述のように、外装カバーを開けた後に、用紙を積載するトレイを引出す用紙積載延長トレイでは、従来、先ず外装カバーを開け、その後改めて用紙積載延長トレイを持ち直して引き出し操作するようになっていた。
【０００７】
本発明はこれを改善し、外装カバー開放と用紙積載延長トレイセットとを一動作で出来るようにし、ユーザが煩雑な作業を強いられることを防止することを目的とするものである。
【課題を解決するための手段】
【０００８】
本発明は、上記問題点を解決するためになされたもので、その技術手段は、本体装置に対して揺動開閉する外装カバーの開動作と共に倒れ、前記外装カバーが開いた状態で引出されて用紙を積載する用紙積載延長トレイにおいて、前記用紙積載延長トレイの一端部に設けられ、前記外装カバーを閉じた状態で前記本体装置の外部に露出する把手を有し、前記把手の手をかける部位は前記外装カバーを閉じた状態で下方に向いていることを特徴とする用紙積載延長トレイである。
【発明の効果】
【０００９】
本発明によれば、本体装置に収納された状態で、用紙積載延長トレイを掴むことができるので、最初に掴んだ部分を持ったまま、一動作で用紙積載延長トレイのセットを遂行することができる。すなわち、用紙積載延長トレイの把手を掴んで一動作で操作することができ、これを持ちかえる煩雑な作業を要することなくセットすることができる。
【発明を実施するための最良の形態】
【００１０】
以下、図面を参照して本発明の実施の形態を説明する。図８は給紙装置の外装カバー２を開き、用紙積載延長トレイ１０を引出した状態を示すプリンタ１の斜視図である。
【００１１】
プリンタ１の給紙部には、ほぼ垂直な姿勢から倒れるように揺動開閉する外装カバー２が取り付けられており、その背面に用紙積載延長トレイ１０が装着されている。外装カバー２を開いて給紙トレイ２０を露出させ、用紙積載延長トレイ１０を引き出してその上に用紙を載せて給紙を行う。この用紙積載延長トレイ１０は、長い用紙を載せるときは、図８に示すように、外装カバー２から用紙積載延長トレイ１０を外方に引き出して使用するようになっている。外装カバー２には側面近傍に側壁４が設けられており、この側壁４に長孔溝６が設けられている。
【００１２】
用紙積載延長トレイ１０は、両側面に突起を設け、この突起が外装カバー２の長孔溝６に嵌入して長孔溝６に沿って摺動し、用紙積載延長トレイ１０を外装カバー２から引出・引込み可能になっている。また、外装カバー２が閉止状態にあるときに、用紙積載延長トレイ１０の両側面にスナップフィットするスナップが外装カバー２の側壁４に設けられており、このスナップが用紙積載延長トレイ１０の側壁にスナップフィットし、用紙積載延長トレイ１０が固定されるようになっている。
【００１３】
図６は図８の側面図、図７は図６の外装カバー２を閉めた状態を示す側面図である。図７に示すように、用紙積載延長トレイ１０は本体装置に収納できる構造になっている。給紙装置は、用紙を１枚ずつ送り出すロールその他の給紙部分と、用紙の横方向を規制するサイドガイド２１を備え用紙を積載する用紙トレイ２０と、引き出して使用する用紙積載延長トレイ１０と、給紙を行わない時に給紙部を塞ぐ外装カバー２とを備えている。
【００１４】
サイドガイド２１を備えた用紙トレイ２０と外装カバー２は各々別の支点を中心に回動できる構造になっており、外装カバー２の支点が用紙トレイ２０の支点より下方にある。用紙トレイ２０には支点から離れたところに突起２２があり、突起２２は外装カバー２に設けられた長孔２３に嵌合し移動できるようになっている。外装カバー２を開くと用紙トレイ２０も連動して開き、外装カバー２が用紙トレイ２０を下から支える構造になっている。
【００１５】
用紙積載延長トレイ１０は、下側両端に円柱状の突起１３を備え、外装カバー２の側面には長孔６が設けられ、用紙積載延長トレイ１０の突起１３がこの長孔６に嵌合し移動できるようになっている。用紙積載延長トレイ１０は外装カバー２に摺動可能に取付けられている。用紙積載延長トレイ１０を引き出した時は用紙積載延長トレイ１０の略中央が外装カバー２に当接し、外装カバー２の長孔６によって用紙積載延長トレイ１０を下から支える構造になっている。
【００１６】
外装カバー２を閉止した状態から、給紙装置を使用可能な状態にする際に、用紙積載延長トレイ１０を最後に引き出す。用紙積載延長トレイ１０は一部を回動させて折り畳むようになっているものもある。
【００１７】
本発明は、用紙積載延長トレイ１０が本体装置内に収納された状態で立設姿勢にある時の上端に把手１２を設け、この把手１２を外部から人が掴むことが可能なように形成した。この把手１０に手をかけて引っ張ると、用紙積載延長トレイ１０と一緒に外装カバー２が倒れて開放し、そのままさらに用紙積載延長トレイ１０を引き出すと、一動作で図６に示す状態になる。
【００１８】
用紙積載延長トレイ１０の側面図を図１に示した、またその背面図を図２（ａ）に、図２（ａ）のＡ−Ａ矢視図を図２（ｂ）に、把手１２の平面図を図３に示した。また、用紙積載延長トレイ１０が外装カバー２内に収納されている状態（外装カバー２の閉止状態）の側面図を図４に、その背面図（装置の内側から見た図）を図５に示した。
【００１９】
図２、図４に示すように、引き出される用紙積載延長トレイ１０の用紙積載側と反対の面に、突起１５を設けてある。図６に示すように、用紙積載延長トレイ１０が引き出された位置で用紙積載延長トレイ１０が収納される方向に移動しないように、用紙積載延長トレイ１０の底部の突起１５を支えるストッパ７を設ける。また、用紙積載延長トレイ１０は引き出された状態では、収納される方向の端部近傍のピン係止部１３を中心に用紙積載延長トレイ１０が矢印１７方向に回動できる構造にした。この構造では、用紙積載延長トレイの回動により、用紙積載延長トレイ底部の突起１５が用紙積載延長トレイ下方のストッパ７を乗り越える。従って、用紙積載延長トレイ１０を長孔溝６に沿って移動することができる。
【００２０】
用紙積載延長トレイ１０の先端部にはほぼＬ字状に曲がって突出した把手１２が設けられ、手で掴むことができる。また、用紙を積載する用紙トレイ２０が収納された状態で用紙積載延長トレイ１０のＬ字状の把手１２が当たらない様に外装カバー２は切欠いた形状になっている。
【００２１】
図２（ａ）、（ｂ）に示すように、用紙積載延長トレイ１０の用紙積載側と反対の面には、リブ１６等で構成した三角状の突起１５が設けられ、外装カバー２には、用紙積載延長トレイ１０が引き出された位置で用紙積載延長トレイ１０の突起１５と当接するように、リブ等で構成したストッパが設けられている。
【００２２】
本発明の用紙積載延長トレイの作動について説明する。給紙装置を使用しない状態では、用紙積載延長トレイ１０と外装カバー２は垂直に立っており、外装カバー２は本体に係止されている。このとき、用紙積載延長トレイ１０は外装カバー２に隠れて外からは見えない状態となっている。用紙積載延長トレイ１０は外装カバー２の中に入っており、外装カバー２の上部から用紙積載延長トレイ１０のＬ字の把手１２が突出しており、手で掴める状態となっている。
【００２３】
給紙装置を使用する時は、用紙積載延長トレイ１０のＬ字状の把手１２を掴み、手前方向やや下方に引っ張ると、用紙積載延長トレイ１０と一緒に外装カバー２が手前方向に倒れ、連動して用紙トレイ２０も手前方向に倒れる。その時、用紙トレイ２０の両側面から突出している円柱状の突起２２が外装カバー２の側部に設けた側壁の長孔２３の中を摺動し、長孔２３の端部に用紙トレイ２０の突起２２が当接すると、それ以上突起２２が移動できなくなるため、用紙トレイ２０と外装カバー２の倒れが止まり、用紙トレイ２０及び外装カバー２の倒れ角度が固定される。ここで、給紙装置で使用する用紙がはがき等の小さい用紙である場合は、用紙積載延長トレイを引き出さない状態で給紙可能であり、用紙トレイ２０上に用紙を置けば給紙可能となる。
【００２４】
給紙装置で使用する用紙がＡ４サイズやさらに長い長尺紙等の場合は、用紙積載延長トレイ１０のＬ字の把手１２を掴んだまま、用紙積載延長トレイ１０を手前に引き出し、用紙積載延長トレイ１０の円柱状の突起１３が外装カバー２の側壁の長孔６の端部に当接するまで引き出す。用紙積載延長トレイ１０の底部の突起１５が外装カバー２のストッパを乗り越え、手を離すと用紙積載延長トレイ１０の自重で用紙積載延長トレイ１０は突起１３を中心に回動し、用紙積載延長トレイ１０の底部の突起１５が外装カバー２のストッパに当たり、用紙積載延長トレイ１０が収納方向に移動できない状態となり固定される。
【００２５】
用紙積載延長トレイ１０を収納する際は、用紙積載延長トレイ１０のＬ字状の把手１２を持ち上げることにより、用紙積載延長トレイ底部の突起１５が外装カバー２のストッパを乗り越え、用紙積載延長トレイ１０が収納方向に移動可能となり、用紙積載延長トレイ１０が外装カバー２に収納された後、用紙積載延長トレイ１０を持ち上げ、外装カバー２を本体に係止する。
【００２６】
上記実施例の他に、用紙積載延長トレイ１０の先端側の部分が軸を中心に１８０度回動する方式の用紙積載延長トレイを設けた装置の場合も、回動する用紙積載延長トレイに把手を設ければ本発明を適用することができる。
【図面の簡単な説明】
【００２７】
【図１】用紙積載延長トレイの側面図である。
【図２】用紙積載延長トレイの背面図である。
【図３】把手の平面図である。
【図４】外装カバー閉止状態を示す給紙装置の側面図である。
【図５】外装カバーの背面図である。
【図６】プリンタの給紙装置の外装カバー開放状態を示す側面図である。
【図７】プリンタの給紙装置の外装カバー閉止状態を示す説明図である。
【図８】プリンタの給紙装置の外装カバー開放状態を示す説明図である。
【符号の説明】
【００２８】
１    プリンタ
２    外装カバー
３    矢印
４    側壁
５    突起
６    長孔溝
７    ストッパ
１０    用紙積載延長トレイ
１２    把手
１３    突起
１４    突起
１５    突起
１６    リブ
１７    矢印
２０    用紙トレイ
２１    サイドガイド
２２    突起
２３    長孔
【図１】
2006188363.tif 000003
【図２】
2006188363.tif 000004
【図３】
2006188363.tif 000005
【図４】
2006188363.tif 000006
【図５】
2006188363.tif 000007
【図６】
2006188363.tif 000008
【図７】
2006188363.tif 000009
【図８】
2006188363.tif 000010